(57)【要約】      （修正有）【課題】水中ポンプ等のホースや長尺コードを腰を曲げず、スムーズに巻取りが出来、作業能率向上、安全な作業、体に負担が掛らない、整理整頓が出来る巻取り器を提供する。【解決手段】巻取り器は、棒状の左縦軸１ａ、右縦軸１ｂと、着脱可能な上側受金具２ａ、外周部が回転可能な第一横軸２ｂ、外周部が回転可能な第二横軸２ｃ、着脱可能な下側受金具２ｄ、２ｆを平行に並べて梯子状に組み合せ、本体を回転させる為の、脱着可能なクランク型左廻し手３ａを留めるためのクランク型左廻手の留具４ａ、４ｃを、左縦軸１ａ外側の中央部と上側の２ヶ所に設け、脱着可能なクランク型右廻し手３ｂを留めるためのクランク型右廻手の留具４ｂ、４ｄ、を右縦軸１ｂ外側の中央部と下側の２ヶ所に設け、右縦軸１ｂの第一横軸２ｂと、第二横軸２ｃの間に巻取物の挿入口５を設ける。【選択図】図１
0003227613.tif 000002
【実用新案登録請求の範囲】
【請求項１】
棒状の左縦軸（1a）、右縦軸（１b）の二本と、着脱可能な上側受金具（２a，２ｅ）、外周部が回転可能な第一横軸（２b）、外周部が回転可能な第二横軸（２ｃ）、着脱可能な下側受金具（2d，2f）の四本を平行に並べたものを梯子状に組み合せ、本体を回転させる為の、脱着可能なクランク型左廻し手（３a）を留めるためのクランク型左廻手の留具（4a）、（4c)を、左縦軸（１a）外側の中央部と上側の２ヶ所に設け、脱着可能なクランク型右廻し手（３ｂ）を留めるためのクランク型右廻手の留具（４ｂ）、（４d）、を右縦軸（１ｂ）外側の中央部と下側の２ヶ所に設け、
右縦軸（1ｂ）の第一横軸（2ｂ）と、第二横軸（２c）の間に巻取物の挿入口（５）を設けており、
左縦軸（1a）の中央部に設けられたクランク型左廻手の留具（4c)と、右縦軸（１b）の央部に設けられたクランク型右廻手の留具（４d）とが本体の略中央部の同一回転軸上に取り付けられていることを特徴とする巻取り器。
【請求項２】
着脱可能な上側受金具（２a）は、差込式横コ字型形状であり、表側が凸部に成る様に差込取付されており、着脱可能な下側受金具（2d）は、差込式横コ字型形状であり、裏側が凸部に成る様に差込取付されていることを特徴とする請求項１に記載の巻取り器。
【請求項３】
着脱可能な上側受金具（２e）は、差込式横櫛型形状であり、物を巻入れる導入溝（２g）を裏側に向ける様に差込取付され、着脱可能な下側受金具（2f）も、差込式横櫛型形状であり,物を巻入れる導入溝（２g）を表側に向ける様に差込取付されたことを特徴とする請求項１に記載の巻取り器。
【請求項４】
巻取り器により、巻かれたホース（９）、長尺コード（11）、を留める為に、ゴムバンド（６）を左縦軸（１a）に取付け、ゴムバンド（６）を掛ける為の、ゴムバンド掛具（７）を左縦軸（１a）の中央部の表側と、回転可能な第二横軸（２ｃ）の下に取付ける事を特徴とする請求項１から３のいずれか１項に記載の巻取り器。
【請求項５】
左縦軸（１a）と右縦軸（１b）のそれぞれの両端を、ホース、長尺コード（11）、が滑らかに、巻取り器に収まる様に外側を湾曲にする、巻取る物に依って、重量が重い時は左縦軸（１a）と右縦軸（１b）の外側中央に、脱着可能なクランク型左廻し手（３a）と脱着可能なクランク型右廻し手（３ｂ）をクランク型廻し手の留具（４c）とクランク型廻し手の留具（４d）に差し込み取付て、移動式台座（１２）に乗せて使用する事を特徴する請求項１から４のいずれか１項に記載の巻取り器。
【考案の詳細な説明】
【技術分野】
【０００１】
本考案は、水中ポンプのホースや長尺コード、ロープをスムーズに簡単に、整理され
て、腰を曲げず楽に巻き取りが出来きる巻取り器に関するものである。
【背景技術】
【０００２】
マンホール、下水、湧水等の吸水、排水時に於いて  従来の水中ポンプのホースの収納時にその収納作業は腰を曲げホースの端から手巻きで巻く、方法しかなく作業性も悪く、体にも苦痛を与えた。又手に依っての巻き付けは時間が掛かり、排水終了時のホース中の残留水をホースから抜か無いと、ホースが膨れ、手巻きが出来なかった。このような問題を改善するために特許文献１のようなホース巻き取り器が知られている。
【先行技術文献】
【特許文献】
【０００３】
【特許文献１】実用新案登録第３２１５８００号公報
【考案の概要】
【考案が解決しようとする課題】
【０００４】
実用新案登録第３２１５８００号公報の課題（改善が必要な点）を記載する。この考案のホース巻取り器は、縦軸と横軸とが梯子状に形成されたもので、ホースを巻き取る時にホースが左右に移動して縦軸に接触して巻きにくかった。また、巻き取ったホースを延ばして使用する時に、撚れて重なったホースを横軸に乗せて引き出す際にホースが滑らないので手で延ばす必要があった。また、ホースが重いと巻き取る際に体に負担がかかっていた。さらに、ロープのような細くて長い長尺コードを巻き取る時は撚れて団子状になり巻き取りが困難であった。
【課題を解決するための手段】
【０００５】
上記課題を解決するために、本考案の巻取り器は、棒状の左縦軸（1a）、右縦軸（１b）の二本と、着脱可能な上側受金具（２a，２ｅ）、外周部が回転可能な第一横軸（２b）、外周部が回転可能な第二横軸（２ｃ）、着脱可能な下側受金具（2d，2f）の四本を平行に並べたものを梯子状に組み合せ、本体を回転させる為の、脱着可能なクランク型左廻し手（３a）を留めるためのクランク型左廻手の留具（4a）、（4c)を、左縦軸（１a）外側の中央部と上側の２ヶ所に設け、脱着可能なクランク型右廻し手（３ｂ）を留めるためのクランク型右廻手の留具（４ｂ）、（４d）、を右縦軸（１ｂ）外側の中央部と下側の２ヶ所に設け、右縦軸（1ｂ）の第一横軸（2ｂ）と、第二横軸（２c）の間に巻取物の挿入口（５）を設けており、左縦軸（1a）の中央部に設けられたクランク型左廻手の留具（4c)と、右縦軸（１b）の央部に設けられたクランク型右廻手の留具（４d）とが本体の略中央部の同一回転軸上に取り付けられていることを特徴とする。
【考案の効果】
【０００６】
本孝案の巻取り器はホース（９）、長尺コード（11）の全長の半分の処に、この巻取り器を設置するので、一回の回しでホース（９）の吸水口側（10a）と排水口側(10ｂ)の往復が巻き取られ、その巻取り長はホース（９）の半分長でホース（９）の全長が巻取りが出来るので作業時間の短縮だできる。巻取り時の体勢も直立姿勢で、脱着可能なクランク型左廻し手（３a）と脱着可能なクランク型右廻し手（3ｂ）を上下に回すだけで、力も余りいらず、ホース（９）の残留水も巻取り器に巻く時に、ホース（９）が圧迫され吸水口側（10a）と排水口側(10b)に残留水が押し出され、巻取りに支障はいない。ホース（９）の巻取が重い時は、脱着可能なクランク型左廻し手（３a）と脱着可能なクランク型右廻し手（３b）を、クランク型廻し手の留具（４c）、（４ｂ）、に差込取付し移動式台座（12）の掛金に掛け、巻取りが出来る。本考案の巻取り器は、又従来の汚水に依り作業服の汚れの解消ができる。又長尺物を巻く時は、脱着可能な差込式横櫛型上側受具（２e）と脱着可可能な差込式横櫛型下側受具（２f）の導入溝(2ｇ)に依り、溝の区切り毎に下から上に一重に長尺物が巻かれ、長尺物の絡みも無く出入れがスムーズに出来き、作業現場の整理整頓ができる。これらを腰の高さで巻くので、体を直立姿勢で、腰に負担が掛からないので健康的にも良い。立つての作業が出来、周囲の交通車両や歩行者にも注意が出来、安全作業が出来る。
【図面の簡単な説明】
【０００７】
【図１】本考案の巻取り器の全体を示す図であり、巻取り器に脱着可能な差込式横コ字型上側受金物と脱着可能な差込式横コ字型下側受金物を取り付けた図である。
【図２】本考案の巻取り器に脱着可能な差込式横櫛型上側受金具と、脱着可能な差込式横櫛型下側受金具を取り付けた図である。
【図３】本考案の巻取り器の横側面を示す図である。
【図４】本考案の巻取り器にホースを設置した様子を示す図である。
【図５】本考案の巻取り器にホースを巻き取った様子を示す図である。
【図６】本考案の巻取り器の回転する筒を通した第二横軸にホースを乗せた図である。
【図７】本考案の巻取り器に長尺コードを巻き取った様子を示す図である。
【図８】本考案の巻取り器を移動式台座に乗せた図である。
【考案を実施するための形態】
【０００８】
本考案の巻取り器の構成について図面を用いて以下に説明する。まず、本考案の巻取り器をホースの巻取り用として使用する場合について説明し、次に長尺コードの巻取り用として使用する場合について説明する。本考案の巻き取り器は、棒状の左縦軸（1a）、右縦軸（１b）の二本を備える。本体の表側が凸の形状に成る様に、脱着可能な上側受金具である、脱着可能な差込式横コ字型上側受金具（２a）を通し筒（５）に差込取付する。回転する筒を通した第一の横軸（２b）、を左縦軸（１a）と右縦軸（１b）の裏側に取付し、回転する筒を通した第二の横軸（２ｃ）を、左縦軸（１a）と右縦軸（１b）表側に取付する。本体の裏側が凸の形状に成る様に、脱着可能な下側受金具である、脱着可能な差込式横コ字型下側受金具（２d）を通し筒（５）に差込取付する、この様にして縦軸と横軸が凹凸に成る様にして、巻物がより巻き易く、スムーズに巻ける。
【０００９】
脱着可能な差込式横コ字型上側受金具（２a）、回転可能な第一の横軸（２b）、回転可能な第二の横軸（２ｃ）、脱着可能な差込式横コ字型下側受金具（２d）の四本と、平行にした左縦軸（１a）と右縦軸（１b）を、梯子状に組み合せる。脱着可能なクランク型左廻し手（3a）を留める為のクランク型廻し手の留具（４a），(4c)を左縦軸（１a）の中央部と左上側の外側２ヶ所に取付る。脱着可能なクランク型右廻し手（3b）を留める為のクランク型廻し手の留具（４b），(4d)を右縦軸（１b）の中央部と右下側の外側２ヶ所に取付る。右縦軸（１b）に回転する筒を通した第一横軸（２b）と、回転する筒を通した第二横軸（２c）の間に巻取物を挿入するための挿入口（８）を設ける。巻取した物を留める為に、左縦軸（１a）の中程の表側と、脱着可能な差込式横コ字型下側受金具（２d）の上程の表側にゴムバンド（６）を引っ掛けるためのゴムバンド引掛具（７）を２ヶ所取付ける。
【００１０】
ホース（９）の全長の1/2の長さの処に巻取り器を差込み、ホース（９）は吸水口側（10a）を脱着可能な差込式横コ字型上側受金具（２a）、と回転する筒を通した第一横軸（２b）の裏側に、排水口側（10b）を回転する筒を通した第二横軸（２ｃ）と脱着可能な差込式横コ字型下側受金具（２d）の表側に成る様に、ホース巻取り器を差し込む。脱着可能なクランク型左廻し手（３a）と脱着可能なクランク型右廻手（３b）をそれぞれクランク型廻し手の留具（４ａ）、（４ｂ）に取り付け、上下に回してホース（９）を巻く。図５はホースの巻き取りが完了した状態を示す。
【００１１】
左縦軸(1a)、右縦軸（１b）を梯子状に取付けた、脱着可能な差込式横コ字型上側受金具（２a）、  回転する筒を通した第一横軸（２b）、回転する筒を通した第二横軸（２c), 脱着可能な差込式横コ字型下側受金具（２d）により、横軸が縦軸に対し、凹凸状となり、巻かれるホースの表面にその凹凸が接して、ホース（９）をすくう様により滑り易く滑らかに巻く事が出来る。ホース（９）の巻取りが重い時は、図８に示すように脱着可能なクランク型左廻し手（3a）、脱着可能なクランク型右廻し手（3b）の位置を左縦軸（１a）と右縦軸（１b）の外側中央部に付けられたクランク型廻手の留具（4c）、(4d)に差込変えて、巻取り器を、移動式台座（12）の掛金に乗せ、使用する事も出来る。ここで、左縦軸（1a）の中央部に設けられたクランク型左廻手の留具（4c)と、右縦軸（１b）の央部に設けられたクランク型右廻手の留具（４d）とが本体の略中央部の同一回転軸上に取り付けられている。又ホースの使用時にホースを延ばす時は、回転する筒を通した第一横軸（２b）、回転する筒を通した第二横軸（２c),のどちらかにホースを乗せ、本体を排水溝口迄引っ張って行けば、ホースは撚れも折れも無く真直ぐに伸ばせる。図６は回転する筒を通した第二横軸（３c）にホース（９）を乗せた状態を示す。
【００１２】
長尺コード（11）巻取り用途として、図２に示すように脱着可能な上側受金具である脱着可能な差込式横櫛型上側受金具（2e）と、脱着可能な下側受金具である脱着可能な差込式横櫛型下側受金具(2f)を通し筒（５）に、脱着可能な差込式横櫛型上側受金具（2e）の導入溝（2g）が表側が凸に成り、脱着可能な差込式横櫛型下側受金具(2f) の導入溝（2g）が裏側が凸に成る様に差込取付する。長尺コード（11）の巻取りの要領も、前記のホース（９）巻取りと同様に行う事で、導入溝（2g）に長尺コード（11）が互いに交わることなく団子状に成らず、導入溝（2g）に下から上に一重に重なって巻取りが出来、延ばす時も真直ぐに絡まずに引き出せる。図７に長尺コードの巻き取りが完了した状態を示す。
【００１３】
なお、上記の実施例では回転する筒を通した第一の横軸（２b）として、回転する筒を通したものを記載したが、第一の横軸（２b）そのものが回転しても良い。回転する筒を通した第ニの横軸（２c）についても同様である。要は、巻き取り物が接する第一の横軸（２b）や第ニの横軸（２c）の外周部が回転可能に構成されていればよい。また、上記の実施例では脱着可能な上側受金具として脱着可能な差込式コ字型上側受金具（２a）を通し筒（５）に差込取付するものを記載したが、脱着可能な差込式横コ字型上側受金具(２a)をビス止めしても良い。脱着可能な差込式横コ字型下側受金具（２d）についても同様である。
【符号の説明】
【００１４】
１a    左縦軸
１b    右縦軸                                            
２a    脱着可能な差込式横コ字型上側受金具（上側受金具）  
２b    回転する筒を通した第一横軸
２c    回転する筒を通した第二横軸
２d    脱着可能な差込式横コ字型下側受金具（下側受金具）
２e    脱着可能な差込式横櫛型上側受金具（上側受金具）    
２f    脱着可能な差込式横櫛型下側受金具（下側受金具）
２g    導入溝              
３a    脱着可能なクランク型左廻し手  
３b    脱着可能なクランク型右廻し手  
４a    クランク型廻手の留具
４b   クランク型廻手の留具
４ｃ  クランク型廻手の留具
４ｄ  クランク型廻手の留具
５    通し筒  
６    ゴムバンド  
７    ゴムバンド掛具            
８    挿入口            
９    ホース   
10ａ  吸水側    
10b   排水側
11    長尺コード  
12    移動式台座
【図１】
0003227613.tif 000003
【図２】
0003227613.tif 000004
【図３】
0003227613.tif 000005
【図４】
0003227613.tif 000006
【図５】
0003227613.tif 000007
【図６】
0003227613.tif 000008
【図７】
0003227613.tif 000009
【図８】
0003227613.tif 000010
【手続補正書】
【提出日】令和2年5月28日(2020.5.28)
【手続補正１】
【補正対象書類名】実用新案登録請求の範囲
【補正対象項目名】請求項１
【補正方法】変更
【補正の内容】
【請求項１】
棒状の左縦軸（1a）、右縦軸（１b）の二本と、着脱可能な上側受金具（２a，２ｅ）、外周部が回転可能な第一横軸（２b）、外周部が回転可能な第二横軸（２ｃ）、着脱可能な下側受金具（2d，2f）の四本を平行に並べたものを梯子状に組み合せ、本体を回転させる為の、脱着可能なクランク型左廻し手（３a）を留めるためのクランク型左廻手の留具（4a）、（4c)を、左縦軸（１a）外側の中央部と上側の２ヶ所に設け、脱着可能なクランク型右廻し手（３ｂ）を留めるためのクランク型右廻手の留具（４ｂ）、（４d）、を右縦軸（１ｂ）外側の中央部と下側の２ヶ所に設け、
右縦軸（1ｂ）の第一横軸（2ｂ）と、第二横軸（２c）の間に巻取物の挿入口（５）を設けており、
左縦軸（1a）の中央部に設けられたクランク型左廻手の留具（4c)と、右縦軸（１b）の中央部に設けられたクランク型右廻手の留具（４d）とが本体の略中央部の同一回転軸上に取り付けられていることを特徴とする巻取り器。